(57)【要約】      （修正有）【課題】布パッドの全面に蒸気を良好に拡散させることができるスチームモップを提供する。【解決手段】柄の下端部にモップ本体を取付けるとともに、モップ本体の下端部に蒸気を噴出する蒸気噴出板を設け、蒸気噴出板の下面に布パッドを装着する。蒸気噴出板の下面の中央部に蒸気を噴出するための噴出ノズルを配置するとともに、蒸気噴出板の下面に中央部から左右幅方向に向けて前後の間隔が広くなる前後一対のガイド壁を形成することで噴出ノズルから噴出された蒸気を左右幅方向へ拡散させるための拡散通路を形成し、各ガイド壁に前後に連通する連通路を形成することにした。また、拡散通路は、中央部側の高さよりも左右端部側の高さを低くすることにした。さらに、連通路は、拡散通路の中央部側の高さよりも低くなった位置に形成することにした。【選択図】図３
0003165322.tif 000002
【実用新案登録請求の範囲】
【請求項１】
柄の下端部にモップ本体を取付けるとともに、モップ本体の下端部に蒸気を噴出する蒸気噴出板を設け、蒸気噴出板の下面に布パッドを装着したスチームモップにおいて、
蒸気噴出板の下面の中央部に蒸気を噴出するための噴出ノズルを配置するとともに、蒸気噴出板の下面に中央部から左右幅方向に向けて前後の間隔が広くなる前後一対のガイド壁を形成することで噴出ノズルから噴出された蒸気を左右幅方向へ拡散させるための拡散通路を形成し、各ガイド壁に前後に連通する連通路を形成したことを特徴とするスチームモップ。
【請求項２】
前記拡散通路は、中央部側の高さよりも左右端部側の高さを低くしたことを特徴とする請求項１に記載のスチームモップ。
【請求項３】
前記連通路は、拡散通路の中央部側の高さよりも低くなった位置に形成したことを特徴とする請求項２に記載のスチームモップ。
【考案の詳細な説明】
【技術分野】
【０００１】
本考案は、柄の下端部にモップ本体を取付けるとともに、モップ本体の下端部に蒸気を噴出する蒸気噴出板を設け、蒸気噴出板の下面に布パッドを装着したスチームモップに関するものである。
【背景技術】
【０００２】
従来より、たとえば、特許文献１に開示されているように、床に向けて蒸気を噴射することで床の清掃を行うことができるスチームモップが開発されている。
【０００３】
このスチームモップは、棒状の柄の下端部に箱型状のモップ本体を取付けるとともに、モップ本体の下端部に蒸気を噴出する水平板状の蒸気噴出板を設け、蒸気噴出板の下面に布パッドを装着した構成となっている。
【先行技術文献】
【特許文献】
【０００４】
【特許文献１】実用新案登録第３１０８３１１号公報
【考案の概要】
【考案が解決しようとする課題】
【０００５】
上記従来のスチームモップでは、蒸気噴出板の下面の中央部に蒸気を噴射するための噴出ノズルを配置しているために、噴出ノズルから噴射した蒸気を蒸気噴出板の左右端部まで拡散させることで蒸気を布パッドの全面に拡散させる必要がある。
【課題を解決するための手段】
【０００６】
そこで、請求項１に係る本考案では、柄の下端部にモップ本体を取付けるとともに、モップ本体の下端部に蒸気を噴出する蒸気噴出板を設け、蒸気噴出板の下面に布パッドを装着したスチームモップにおいて、蒸気噴出板の下面の中央部に蒸気を噴出するための噴出ノズルを配置するとともに、蒸気噴出板の下面に中央部から左右幅方向に向けて前後の間隔が広くなる前後一対のガイド壁を形成することで噴出ノズルから噴出された蒸気を左右幅方向へ拡散させるための拡散通路を形成し、各ガイド壁に前後に連通する連通路を形成することにした。
【０００７】
また、請求項２に係る本考案では、前記請求項１に係る本考案において、前記拡散通路は、中央部側の高さよりも左右端部側の高さを低くすることにした。
【０００８】
また、請求項３に係る本考案では、前記請求項２に係る本考案において、前記連通路は、拡散通路の中央部側の高さよりも低くなった位置に形成することにした。
【考案の効果】
【０００９】
そして、本考案では、以下に記載する効果を奏する。
【００１０】
すなわち、本考案では、柄の下端部にモップ本体を取付けるとともに、モップ本体の下端部に蒸気を噴出する蒸気噴出板を設け、蒸気噴出板の下面に布パッドを装着したスチームモップにおいて、蒸気噴出板の下面の中央部に蒸気を噴出するための噴出ノズルを配置するとともに、蒸気噴出板の下面に中央部から左右幅方向に向けて前後の間隔が広くなる前後一対のガイド壁を形成することで噴出ノズルから噴出された蒸気を左右幅方向へ拡散させるための拡散通路を形成し、各ガイド壁に前後に連通する連通路を形成しているために、蒸気噴出板の下面の中央部から噴出された蒸気を拡散通路によって左右幅方向へ拡散させることができるとともに、連通路によって前後方向へも拡散させることができ、蒸気を布パッドの全面に拡散させることができるので、布パッドの全面を有効利用して良好に清掃することができるようになる。
【００１１】
特に、前記拡散通路の中央部側の高さよりも左右端部側の高さを低くした場合には、高さが低くなる分だけ前後に拡散しやすくなり、蒸気をより一層良好に拡散させることができるようになる。
【００１２】
また、連通路を拡散通路の中央部側の高さよりも低くなった位置に形成した場合には、高さが低くなる分だけ連通路を介して前後に拡散しやすくなり、蒸気をより一層良好に拡散させることができるようになる。
【図面の簡単な説明】
【００１３】
【図１】本考案に係るスチームモップを示す正面図。
【図２】同部分拡大正面図。
【図３】蒸気噴出板を示す底面図。
【考案を実施するための形態】
【００１４】
以下に、本考案に係るスチームモップの具体的な構成について図面を参照しながら説明する。
【００１５】
図１に示すように、スチームモップ１は、上下に伸延する棒状の柄２の下端部にモップ本体３を取付け、モップ本体３の下端部に蒸気を噴出するための蒸気噴出板４を水平に形成し、蒸気噴出板４の下面に布パッド５を着脱自在に装着している。
【００１６】
モップ本体３は、図２に示すように、貯留タンク６とポンプ７とヒーター８と噴出ノズル９などを収容しており、貯留タンク６にポンプ７を連結パイプ10を介して接続し、ポンプ７にヒーター８を連結パイプ11を介して接続し、ヒーター８に噴出ノズル９を連結パイプ12を介して接続し、噴出ノズル９を蒸気噴出板４の下面の中央部に配置している。
【００１７】
そして、モップ本体３は、貯留タンク６に貯留した水をポンプ７によってヒーター８へと送り、ヒーター８で加熱することで蒸気を生成し、その蒸気を蒸気噴出板４の中央部において噴出ノズル９から噴出するようにしている。
【００１８】
蒸気噴出板４は、図３に示すように、四隅に布パッド５を着脱自在に装着するための面ファスナー13を貼着するとともに、左右の面ファスナー13,13の間に蒸気噴出板４と布パッド５との間隙を保持して蒸気を拡散させるための凸片14を形成している。
【００１９】
また、蒸気噴出板４は、下面の中央部に噴出ノズル９を配置するとともに、下面に中央部から左右幅方向へ向けて前後の間隔が広くなる前後一対のガイド壁15,16を形成している。
【００２０】
各ガイド壁15,16は、蒸気噴出板４の下面に下方へ向けて突出させた壁体17と、壁体17と壁体17の間に形成した連通路18とで構成している。
【００２１】
これにより、蒸気噴出板４は、下面の中央部から左右端部に向けて蒸気噴出板４の下面と前後のガイド壁15,16と布パッド５の上面とで囲まれた拡散通路19を形成しており、この拡散通路19によって中央部の噴出ノズル９から噴出された蒸気を左右幅方向へ拡散させるようにしている。
【００２２】
この拡散通路19は、蒸気噴出板４の下面の左右側部に下方へ向けて一段下がった段部20を形成することで、拡散通路19の中央部側の高さよりも左右端部側の高さの方が低くなっている。
【００２３】
そして、拡散通路19の高さが中央部側よりも低くなった位置に拡散通路19から前後方向へ連通する連通路18を形成している。
【００２４】
このように、蒸気噴出板４は、拡散通路19に前後に連通する連通路18を形成することで、拡散通路19によって左右幅方向に拡散させた蒸気を連通路18によって前後方向へも拡散させるようにしており、これによって、蒸気を布パッド５の全面に拡散させるようにしている。
【００２５】
以上に説明したように、上記スチームモップ１は、柄２の下端部にモップ本体３を取付けるとともに、モップ本体３の下端部に蒸気を噴出する蒸気噴出板４を設け、蒸気噴出板４の下面に布パッド５を装着しており、蒸気噴出板４の下面の中央部に蒸気を噴出するための噴出ノズル９を配置するとともに、蒸気噴出板４の下面に中央部から左右幅方向に向けて前後の間隔が広くなる前後一対のガイド壁15,16を形成することで噴出ノズル９から噴出された蒸気を左右幅方向へ拡散させるための拡散通路19を形成し、各ガイド壁15,16に前後に連通する連通路18を形成した構成となっている。
【００２６】
そのため、上記構成のスチームモップ１では、蒸気噴出板４の下面の中央部から噴出された蒸気を拡散通路19によって左右幅方向へ拡散させることができるとともに、連通路18によって前後方向へも拡散させることができ、蒸気を布パッド５の全面に拡散させることができるので、布パッド５の全面を有効利用して良好に清掃することができる。
【００２７】
また、上記スチームモップ１は、拡散通路19の中央部側の高さよりも左右端部側の高さが低くなるように構成している。
【００２８】
そのため、上記スチームモップ１では、拡散通路19の高さが低くなる分だけ前後に拡散しやすくなり、蒸気をより一層良好に拡散させることができる。
【００２９】
さらに、上記スチームモップ１は、連通路18を拡散通路19の中央部側の高さよりも低くなった位置に形成している。
【００３０】
そのため、上記構成のスチームモップ１では、拡散通路19の高さが低くなる分だけ連通路18を介して前後に拡散しやすくなり、蒸気をより一層良好に拡散させることができる。
【符号の説明】
【００３１】
１  スチームモップ                      ２  柄
３  モップ本体                          ４  蒸気噴出板
５  布パッド                            ６  貯留タンク
７  ポンプ                              ８  ヒーター
９  噴出ノズル                          10,11,12  連結パイプ
13  面ファスナー                        14  凸片
15,16  ガイド壁                         17  壁体
18  連通路                              19  拡散通路
20  段部
【図１】
0003165322.tif 000003
【図２】
0003165322.tif 000004
【図３】
0003165322.tif 000005